(57)【要約】 【課題】本発明は、箱状の容器を平坦状に折り畳む方法に関する。【解決手段】各隅部１２ａ〜１２ｄ、１３ａ〜１３ｄが曲折可能である容器の開口（隅部１２ａ〜１２ｄで形成）を横（正面側）にし、対角である隅部１２ｄと隅部１３ｃをもって、例えば、右回りにひねりながら、隅部１２ｃと隅部１３ｂ、隅部１３ｃと隅部１３ａ、隅部１３ｄと隅部１２ａ、隅部１２ｄと隅部１２ｂを重ね合わせて平坦状に折り畳む。【選択図】図１
2009255939.tif 000002
【特許請求の範囲】
【請求項１】
上面が隅部１２ａ〜１２ｄで開口に形成し、底面、正面、裏面及び両側面を折り畳み可能な覆い体で構成され、且つ、各隅部１２ａ〜１２ｄ、１３ａ〜１３ｄが曲折可能である箱状の折り畳み可能な容器であって、
前記開口を正面に倒し、
上面となる対角線の隅部１２ｄ、１３ｃ、或いは隅部１２ｃ、１３ｄを持って、
（ａ）時計回りにひねり倒して隅部１２ｃと隅部１３ｂ、隅部１３ｃと隅部１３ａ、隅部１３ｄと隅部１２ａ、隅部１２ｄと隅部１２ｂを重ね合わせて平坦状に折り畳むか、
（ｂ）或いは反時計回りにひねり倒して、隅部１３ｃと隅部１２ｂ、隅部１３ｄと隅部１３ｂ、隅部１２ｄと隅部１３ａ、隅部１２ｃと隅部１２ａとを重ね合わせて平坦状に折り畳む方法。
【請求項２】
隅部に封入袋を取付け、前記封入袋と封入袋の間の稜部に芯材を取り付けてなる請求項１の容器の平坦状に折り畳む方法。
【発明の詳細な説明】
【技術分野】
【０００１】
本発明は、廃棄物等を収納する容器であり、その容器を平坦状に折り畳む方法に関する。
【背景技術】
【０００２】
従来、ペットボトル等の廃棄物等は、網等で各面を形成の箱状の折り畳み可能な容器で行っている。廃棄物を収納するときには、前記折り畳んだ容器を箱状に立てて投入している。そして、この容器内の廃棄物を排出し、空の状態で収集場所に搬送するときには、平坦状に折り畳んだ容器にする。
この様な容器は、図２に示すように、上面２が開口状の箱体であり、各隅部１２ａ〜１２ｄ、１３ａ〜１３ｄが曲折自在に形成してある。
そして、この容器を折り畳む方法には、下記の２通りが知られている。
【０００３】
（折り畳み方法１）
この折り畳み方法は、例えば、特許第２９６８１９３号公報がある。この特許第２９６８１９３号に開示の折り畳み方法は、図２（Ａ）に示すように、空の状態で開口２が上面である容器を、先ず、引っ繰り返して、図２（Ｂ）に示すように、底面を上面にする。そして、隅部１３ａと隅部１３ｃの対角線を内側に折り込むと共に、隅部１３ｄと隅部１３ｂ、隅部１２ｃと隅部１２ａが合うようにひねると、隅部１３ｄと隅部１３ｂ、隅部１２ｄと隅部１３ａ、隅部１３ｃと隅部１２ｂ、隅部１２ｃと隅部１２ａが重なって、４角の平坦状になる（図２（Ｃ））。
【０００４】
（折り畳み方法２）
次に、前記図２（Ａ）に示す容器と同じ容器（図３（Ａ））を、前記とは異なる方法で平坦状に折る方法について説明する。
この折り畳み方法は、例えば、対角線である隅部１２ａ、１２ｃを持って、時計方向に「ひねり倒す」ことである。この方法によると、隅部１２ａと隅部１３ｂ、隅部１２ｂと隅部１３ｃ、隅部１２ｃと隅部１３ｄ、隅部１２ｄと隅部１３ａが重なりあって、４角の平坦状に折ることができる（図３（Ｂ））。
【０００５】
【特許文献１】特許第２９６８１９３号公報
【発明の開示】
【発明が解決しようとする課題】
【０００６】
前記図２に示す折り畳み方法１によると、先ず、上面の開口２を引っ繰り返して、底面を上面にする操作が必要である。即ち、底面において、先ず、対角線状に折ることが必要だからです。この折り畳み方法１によると、４側面のうち２側面には、対角線に折られた軌跡が有る。しかし、他の２側面には折られた軌跡がないので、容器を自立させたとき、折られた軌跡がない側面によって自立する容器を得ることができる。
又、前記図３に示す折り畳み方法２によると、対角する隅部をもって、ひねり倒すことによって、平坦状に折り畳むものであるが、４側面の全てにおいて、対角線に折られた軌跡が有る。この様な軌跡が有る容器を自立させると、全ての側面に軌跡が有るので、その折られた軌跡によって、自立が困難である。
以上のように、折り畳み方法１、２には、それぞれ課題があり、発明者は種々テストを試み、ここに、係る不都合をできるだけなくす、新たな、折り畳み方法を提供するものである。
【課題を解決するための手段】
【０００７】
本願発明の請求項１の容器の折り畳み方法は、上面が隅部１２ａ〜１２ｄで開口に形成し、底面、正面、裏面及び両側面を折り畳み可能な覆い体で構成され、且つ、各隅部１２ａ〜１２ｄ、１３ａ〜１３ｄが曲折可能である容器に対するものである。そして、この容器を折り畳むには、先ず、前記容器の開口（隅部１２ａ〜１２ｄで形成）を横（正面側）にする（図１（Ｂ）参照）。
そして、次に、対角である隅部１２ｄと隅部１３ｃ、或いは、隅部１２ｃと隅部１３ｄをもって、例えば、右回りにひねりながら、隅部１２ｃと隅部１３ｂ、隅部１３ｃと隅部１３ａ、隅部１３ｄと隅部１２ａ、隅部１２ｄと隅部１２ｂを重ね合わせて平坦状に折り畳むことができる（図１（Ｃ−１）参照）。
尚、前記対角である隅部１２ｄと隅部１３ｃをもって、例えば、左回りにひねりながら、隅部１３ｃと隅部１２ｂ、隅部１３ｄと隅部１３ｂ、隅部１２ｄと隅部１３ａ、隅部１２ｃと隅部１２ａとを重ね合わせて、平坦状に折ることができる（図１（Ｃ−２）参照）。
又、請求項２の容器は、隅部と隅部の間の稜部に芯材が取り付けてあるので、しっかりした自立容器である。
【発明の効果】
【０００８】
本願発明の折り畳み方法は、開口を横にして折り畳むことによって、４側面のうち、２側面には対角線に折られた軌跡を生ずることがないので、自立させることができる。
【発明を実施するための最良の形態】
【０００９】
本発明の実施の形態を図１を参照して説明する。尚、図１（Ａ）は、箱状容器を自立させて、廃棄物を投入可能な状態であり、図１（Ｃ−１）、（Ｃ−２）は箱状容器を平坦状に折り畳んだ状態図である。
この折り畳み可能な容器は、例えば、折り畳んだ状態の容器を自立させて、開口２を上面にして、ペットボトル等の廃棄物を収集するのに使用するものである。そこで、未使用状態においては嵩張らないようにほぼ平面或いはロール状態にし、使用時には箱状にして廃棄物を収納可能にする。
【００１０】
そこで、この折り畳み可能な容器の正面、裏面、左右側面及び底面は、覆い体（例えば、合成樹脂製のシート、合成樹脂製の網体、布等）で、各稜部において箱状に縫合又はヒートシールで接合してある。また、この覆い体は、２つ折等に折り畳むことができる材質である。
又、前記覆い体の隅部１２ａ〜１２ｄ、１３ａ〜１３ｄ（全部で８箇所）は、曲折可能な状態である。即ち、各隅部１２ａ〜１２ｄ、１３ａ〜１３ｄは、何れの方向にも傾斜できる。又、この容器が自立可能なために、前記隅部と隅部の各稜部には、ＦＲＰポール等の芯材５が取り付けてあり、稜部の強化を図っている。
尚、この芯材５は、各隅部において、装脱着可能に構成してもよいし、取外しができない稜部に縫合等で固定した構造であってもよい。
【００１１】
芯材５を隅部で装脱着可能に構成するには、例えば、各稜部の隅部１２ａ〜１２ｄ、１３ａ〜１３ｄに、Ｔ字状の封入袋２０の開口を、他の隅部に取付けの封入袋２０の開口に向かって縫合或いは熱溶着で固定する。即ち、開口と開口が向い合う状態で、Ｔ字状の封入袋２０が取り付けてある。
そして、芯材５の端部は、相対向する封入袋２０の開口に挿入することによって、各稜部には芯が通った状態になり、箱として自立可能である。
この様に、芯材５の装脱着が可能である容器は、芯材を封入袋２０から抜くことによって、折り畳むことができる。
【００１２】
しかし、芯材５が稜部に固定されている容器は、下記の操作によって折り畳む。
先ず、容器の開口２を横に向けると、各隅部は、図１（Ｂ）に示すように、１２ａ〜１２ｄが正面に、１３ａ〜１３ｄが裏面になる。
次に、対角である隅部１２ｄと隅部１３ｃ或いは、隅部１２ｃと隅部１３ｄをもって、例えば、右回りにひねりながら、隅部１２ｃと隅部１３ｂ、隅部１３ｃと隅部１３ａ、隅部１３ｄと隅部１２ａ、隅部１２ｄと隅部１２ｂを重ね合わせることによって平坦状に折り畳むことができる（図１（Ｃ−１））。
【００１３】
この様に折り畳まれた容器は、隅部１２ｃ、１２ｂ、１３ｂ、１３ｃで形成の側面と、隅部１３ｄ、１２ｄ、１２ａ、１３ａで形成の側面と、１３ａ〜１３ｄで形成の側面において対角線に折線軌跡が生ずる。しかし、隅部１２ｄ、１２ｃ、１３ｃ、１３ｄで形成の側面と隅部１２ａ、１２ｂ、１３ｂ、１３ａで形成の側面には対角線に折線軌跡が生じない。
即ち、この折り畳んだ状態の容器を自立させたとき、２つの側面には折線軌跡が有るが、２つの側面には折線軌跡がないので、かかる折線がない側面によって容器を自立させることができる。
【００１４】
この点、従来の折り畳み方法２（図３）においては、４つの側面に折線軌跡が生ずる折り畳み方であるので、容器を自立させると、かかる軌跡によって自立が困難である。
又、従来の折り畳み方法１（図２）においては、本願と同様に、２つの側面において折線軌跡が生じ、他の２つの側面には折線軌跡が生じないので、容器を自立させることができる。しかし、この折り畳み方法２においては、先ず、底面を上面に引っ繰り返すという操作を実施した後に折り畳むことになり、操作の簡便さに欠ける。
【００１５】
又、図１（Ｂ）において、対角である隅部１２ｄと隅部１３ｃ或いは、隅部１２ｃと隅部１３ｄをもって、例えば、左回りにひねりながら、隅部１２ｃと隅部１２ａ、隅部１３ｃと隅部１２ｂ、隅部１３ｄと隅部１３ｂ、隅部１２ｄと隅部１３ａを重ね合わせることによって平坦状に折り畳むことができる（図１（Ｃ−２））。
【００１６】
以上のように、本願発明の容器の折り畳み方法は、容器の開口を横にした後に、折り畳むことによって、２つの側面において折線軌跡がない状態であるので、容器の自立ができる。
【図面の簡単な説明】
【００１７】
【図１】（Ａ）は開口を上面にした容器の全体図、（Ｂ）は開口を横にした容器の全体図、（Ｃ−１）（ｃ−２）は平坦状に折り畳んだ状態の容器である。
【図２】（Ａ）は従来の開口を上面にした容器の全体図であり、（Ｂ）は底面を上面にした容器、（Ｃ）は折り畳み方法１による平坦状に折り畳んだ状態の容器である。
【図３】（Ａ）は従来の開口を上面にした容器の全体図であり、（Ｂ）は折り畳み方法２による平坦状に折り畳んだ状態の容器である。
【符号の説明】
【００１８】
２  開口
５  芯材
１２ａ〜１２ｄ  隅部
１３ａ〜１３ｄ  隅部
２０  封入袋
【図１】
2009255939.tif 000003
【図２】
2009255939.tif 000004
【図３】
2009255939.tif 000005